(57)【特許請求の範囲】
【請求項１】
側部に開口部を設ける容器本体内に第一固定軸を設け、これに容器本体内にあって回動自在にスライダーを軸着し、スライダーの側縁により開口部を開閉すると共に、スライダーの一側を容器本体より露出して押圧部を形成し、かつ、この回動自在に軸着されるスライダー内に設けられる空間内壁面に、係合突起により形成される凹部を設け、上記容器本体に第一固定軸とともに構成される第二固定軸に、外方向に向けて突出し上記スライダーの凹部と係合する係止突片を設けてなる替芯容器。
【発明の詳細な説明】
【０００１】
【産業上の利用分野】
この発明は、シャープペンシル等に使用される替えの鉛芯を収容してなる替芯容器の構造に関する。
【０００２】
【従来の技術】
従来、シャープペンシル等に使用される鉛芯を収容してなる替芯容器の構造は、シャープペンシルの使用時において迅速且つ容易に替芯容器内に収容される鉛芯を取り出し、シャープペンシル内に確実に補填することができるようにするため、替芯容器を構成する容器本体の開口部を着脱自在なキャップ、或は左右方向にスライド自在となる蓋体によって閉塞してなるものが一般的である。
【０００３】
【発明が解決しようとする課題】
しかしながら、上記従来の替芯容器において、替芯容器を構成する容器本体の開口部を着脱自在なキャップ、或は左右方向にスライド自在となる蓋体によって閉塞するものの場合は、確かに片手で鉛芯を収容する容器本体の開口部を閉塞するキャップ、或はスライド自在となる蓋体を脱着、或はスライドさせることにより容器本体の開口部が全開状態となって、替芯容器を構成する容器本体内に収容される鉛芯を迅速且つ容易に取り出せ、シャープペンシル内に確実に補填することができるものであるが、一方、上記替芯容器のキャップの脱着、或は蓋体を左右方向にスライドさせることによって容器本体内に収容する時には、不可抗力によるキャップの脱着、或は蓋体のスライドによって容器本体の開口部が全開状態となり、更に鉛芯をシャープペンシル内に補填しようとして不用意に、この容器本体の開口部が全開としたままで替芯容器を傾けてしまうと、この替芯容器を構成する容器本体内に収容される他の鉛芯が全て外部に飛び出してしまうこととなり、鉛芯自体の破損、又は外部に飛び出した鉛芯を再度拾って替芯容器内に収容しなければならず非常に煩わしい問題が生ずる欠点がある。
【０００４】
従って、シャープペンシルにおいて鉛芯を補填しようとする場合には、大量二、三本を新たに補填する場合がほとんどであり、敢えて鉛芯を収容する替芯容器を構成する容器本体の開口部を全開にする必要はなく、使用者が迅速且つ容易に二、三本の鉛芯を取り出せれば十分であり、むしろ鉛芯をシャープペンシル内に補填するに当たって容器本体の開口部を全開となることは、鉛芯を補填する使用者にとって不便を強いることとなるものである。
【０００５】
そこで、この発明は、上記従来のものの有する欠点を改善するものであり、シャープペンシル内に新たに鉛芯を補填する場合に、替芯容器内に収容される鉛芯を外部に飛び出させることなく、確実に必要な本数の鉛芯を迅速且つ容易に取り出すことができるようにするものである。
【０００６】
【課題を解決するための手段】
そのために、内部に鉛芯を収容する替芯容器の側部に開口部を設け、上記容器本体内において第一固定軸に対して回動自在にスライダーを軸着し、スライダー側縁により開口部を開閉すると共にスライダーの一側を容器本体より露出して押圧部を形成し、かつ、この回動自在に軸着されるスライダー内に設けられる空間内壁面に突設される係合突起により形成される凹部を設け、第一固定軸とともに構成される第二固定軸に、外方向に向けて突出し上記スライダーの凹部と係合する係止突片を設けてなるものである。
【０００７】
【作用】
上記構成を具えるので、シャープペンシル内に鉛芯を装填する場合には、替芯容器を構成する容器本体の開口部において、容器本体の第一固定軸に対して回動自在に軸着されるスライダーの押圧部を外部から押勢することによって、スライダーは容器本体内部にあって第一固定軸を支点として回動すると共に、このスライダー内に設けられる空間内壁面に突設される係止突起により形成する凹部に、容器本体から構成される第二固定軸より突出する係止突片が係合して、保持されることで、スライダーの回動を抑制するものとなるので、通常、替芯容器を構成する容器本体の開口部をその側縁により閉塞しているスライダーは、上記容器本体の開口部を全開状態とするのではなく、必要最小限だけ容器本体の開口部を開放できることとなり、確実に必要に応じてこの容器本体の開口部より容器本体内に収容される数本の鉛芯を迅速且つ容易に取り出すことができる。
【０００８】
更に、容器本体内に収容する全ての鉛芯を取り出す等のように替芯容器を構成する容器本体の開口部を全開する必要がある場合には、更に容器本体の開口部において第一固定軸に回動自在に軸着されているスライダーの押圧部を更に押勢することにより、一旦スライダー内に設ける空間の内壁面において突設形成される凹部と、上記第二固定軸より突出する係止突片との係合が解放されてスライダーは回動自在となり、容器本体の開口部を全開状態とするものとなり、一方上記開口している容器本体の開口部を閉塞する場合には、容器本体の開口部を開口させるために押勢したスライダーの突出により容器本体より突出する逆側を押勢することにより、軸着される第一固定軸を支点としてスライダーは上述した開放する場合とは逆方向に回動して、替芯容器を構成する容器本体の開口部を閉塞するものである。
【０００９】
【実施例】
この発明を図に示す実施例により更に説明する。（１）は、この発明の実施例である替芯容器であり、この替芯容器（１）は二分割される容器本体片（２’）を一体とすることで構成され、その先端に内部に収容した鉛芯（４）を取り出すための開口部（３）を側部に有する容器本体（２）と、この容器本体（２）内に収容される替えの鉛芯（４）を必要に応じて取り出すことができるように、その都度必要に応じて上記容器本体（２）の開口部（３）をその側縁により開放、閉塞するための容器本体（２）の側方より露出する押圧部（１３）を具えてなるスライダー（５）から構成されるものである。
【００１０】
そして、上記替芯容器（１）を構成する容器本体（２）の開口部（３）において、上記容器本体から構成される第一固定軸（６）に対して、容器本体（２）の開口部（３）を必要に応じて開放、閉塞可能とするように、回動自在にスライダー（５）を軸着すると共に、このスライダー（５）内に設けられる空間（７）の内壁面（８）に突設される係合突起（９）（９）間の凹部（１２）と、上記容器本体（２）の第二固定軸（１０）から外方向に向けて突出する係止突片（１１）の先端が係合してなるものである。
【００１１】
この発明の実施例である替芯容器（１）は以上の構成を具えるので、必要に応じてシャープペンシル内に鉛芯を補填する場合には、上記替芯容器を構成する容器本体（２）の開口部（３）において、二分割された容器本体片（２’）を一体とすることで構成される第一固定軸（６）に対して回動自在に軸着されるスライダー（５）の押圧部（１３）を押勢することによって、このスライダー（５）は軸着される第一固定軸（６）を支点として回動することとなるとと共に、この回動するスライダー（５）において設けられる空間（７）の内壁面（８）において突設される係止突起（９）（９）の凹部（１２）によって、上記一体となる容器本体片（２’）から構成される第二固定軸（１０）より突出する係止突片（１１）と係合、することで、スライダー（５）の回動を抑制するものとなるので、通常、替芯容器（１）を構成する容器本体（２）の開口部（３）を閉塞しているスライダー（５）は、上記容器本体（２）の開口部（３）を全開状態とするものではなく、必要最小限だけ容器本体（２）の開口部（３）を開放するものであり、確実に必要に応じて開放される容器本体（２）の開口部（３）より、替芯容器（１）を構成する容器本体（２）内に収容される数本の鉛芯（４）を迅速且つ容易に取り出せ、シャープペンシル内に補填することができる。上記の場合、回動するスライダー（５）の他端は容器本体（２）より外方に突出してこれを押勢することによりスライダー（５）を逆転させることが可能となる。
【００１２】
更に、この発明の実施例である替芯容器（１）を構成する容器本体（２）内に収容する全ての鉛芯（４）を取り出す等のように、この替芯容器（１）を構成する容器本体（２）の開口部（３）を全開状態にする必要がある場合には、更に容器本体（２）の開口部（３）において第一固定軸（６）に回動自在に軸着されているスライダー（５）の押圧部（１３）を更に押勢することにより、一旦スライダー（５）に設けられる空間（７）の内壁面（８）において突設される係止突起（９）（９）の凹部（１２）と、上記一体となって容器本体（２）となる容器本体片（２’）から構成される第二固定軸（１０）より突出する係止突片（１１）との係合、保持が解放されてスライダー（５）は更に回動自在となり、容器本体（２）の開口部（３）を全開状態となり、この全開状態となった容器本体（２）の開口部（３）から容器本体（２）内に収容される鉛芯（４）を迅速且つ容易に全て取り出すことができるものである。この場合もスライダー（５）の他端は更に容器本体（１）の外側に突出するものとなる。
【００１３】
なお、上記スライダー（５）の回動により全開或は一部開放状態で開口している替芯容器（１）を構成する容器本体（２）の開口部（３）を閉塞する場合においては、容器本体（２）の開口部（３）を開口させるために押勢したスライダー（５）の上記他端を逆に押勢することによって、回動自在に軸着される第一固定軸（６）を支点としてスライダー（５）は、上述した容器本体（２）の開口部（３）を開放する場合とは逆転することとなり、この発明の実施例である替芯容器（１）を構成する容器本体（２）の開口部（３）を順次閉塞することとなるものとなる。
【００１４】
【発明の効果】
以上のとおり、シャープペンシル等に使用する鉛芯を収容する替芯容器の開放、閉塞自在とすることにより、容器本体内に収容される鉛芯の取り出し本数に応じて、この替芯容器を構成する容器本体の開口部の開放の度合を変化させることができるため、シャープペンシルに対して鉛芯を補填する場合には、確実に必要な本数の替えの鉛芯だけを容器本体内から、迅速且つ容易に取り出すことができると共に、不必要な鉛芯の飛び出しによる替えの鉛芯の破損及び再度の収容作業を防止することができる優れた効果を有するものである。
【図面の簡単な説明】
【図１】この発明の実施例である替芯容器の作動状況を示す全体斜視図である。
【図２】この発明の実施例である替芯容器の閉塞状態での全体正面図である。
【図３】この発明の実施例である替芯容器において、その開口部を一部開放した場合の正面図である。
【図４】図３において、この発明の実施例である替芯容器の開口部を開放、閉塞自在とするため回動自在に軸着されるスライダーの要部拡大正面図である。
【符号の説明】
１  替芯容器
２  容器本体
２’容器本体片
３  開口部
４  鉛芯
５  スライダー
６  第一固定軸
７  空間
８  内壁面
９  係止突起
１０  第二固定軸
１１  係止突片
１２  凹部
１３  押圧部
【図１】
0003648694.tif 000002
【図２】
0003648694.tif 000003
【図３】
0003648694.tif 000004
【図４】
0003648694.tif 000005